(57)【要約】【課題】室内でも外出時でも常時脳にマイナスイオンを当てるのに適したマイナスイオン発生ヘッドキャップを提供する。【解決手段】  ヘッドキャップ本体４は人間の頭に被せるのに適した半球形状を有しマイナスイオン鉱石粒子を含む材料により形成されている。ヘッドキャップ本体４の外面には平面ファスナー６が取り付けられている。このヘッドキャップ本体４は市販の帽子８の内側に取り付けられた平面ファスナー１０を介して該市販の帽子８の内側に脱着自在に結合可能となっている。ヘッドキャップ本体４には穴あるいは網状部４ａが形成され、ヘッドキャップ本体４を頭に被ったとき頭が蒸れないようにしてある。【選択図】図２
2005290646.tif 000002
【特許請求の範囲】
【請求項１】
人間の頭に被せるのに適した半球カップ形状を有しマイナスイオン鉱石粒子を含む材料により形成されたヘッドキャップ本体と、該ヘッドキャップ本体の外面に取り付けられた脱着型結合具とを備え、前記ヘッドキャップ本体を市販の帽子の内側に取り付けられた脱着型結合具を介して該市販の帽子の内側に脱着自在に結合可能としたことを特徴とするマイナスイオン発生ヘッドキャップ。
【請求項２】
前記ヘッドキャップ本体に穴あるいは網状部を形成し、ヘッドキャップ本体を頭に被ったとき頭が蒸れないようにしたことを特徴とする請求項１に記載のマイナスイオン発生ヘッドキャップ。
【請求項３】
前記ヘッドキャップ本体の開放部が人間の頭の大きさに応じて圧力により拡がるように、前記ヘッドキャップ本体に弾力的に変形可能な部分を設けたことを特徴とする請求項１に記載のマイナスイオン発生へッドキャップ。
【請求項４】
前記脱着型結合具が平面ファスナーであることを特徴とする請求項１に記載のマイナスイオン発生ヘッドキャップ。
【請求項５】
前記ヘッドキャップ本体が粒子状のマイナスイオン発生鉱石をプラスチックに混入して成形したものからなることを特徴とする請求項１に記載のマイナスイオン発生ヘッドキャップ。
【請求項６】
前記ヘッドキャップ本体が粒子状のマイナスイオン発生鉱石をゴムに混入して成形したものからなることを特徴とする請求項１に記載のマイナスイオン発生ヘッドキャップ。
【請求項７】
前記ヘッドキャップ本体を包むための袋部分を有する汗とりカバーを吸湿性、通気性を有する素材で構成し、該汗とりカバーの袋部分に前記ヘッドキャップ本体を前記脱着型結合具を開放させて挿入し、前記汗とりカバーに開閉部を設けて該開閉部から前記ヘッドキャップ本体を出し入れ可能としたことを特徴とする請求項１に記載のマイナスイオン発生ヘッドキャップ。
【請求項８】
人間の頭に被せるのに適した半球カップ形状を有しマイナスイオン鉱石粒子を含む材料により形成されたヘッドキャップ本体と、吸湿性及び通気性を有する素材で構成された前記ヘッドキャップ本体を包むための袋部分を有する汗とりカバーと、前記ヘッドキャップ本体の外面または前記汗とりカバーの外面に取り付けられた脱着型結合具とを備え、前記汗とりカバーの袋部分に前記ヘッドキャップ本体を挿入し、前記汗とりカバーに開閉部を設けて該開閉部から前記ヘッドキャップ本体を出し入れ可能とし、前記ヘッドキャップ本体を市販の帽子の内側に取り付けられた脱着型結合具を介して該市販の帽子の内側に脱着自在に結合可能としたことを特徴とするマイナスイオン発生ヘッドキャップ。
【発明の詳細な説明】
【技術分野】
【０００１】
本発明はマイナスイオン発生ヘッドキャップに関する。
【背景技術】
【０００２】
マイナスイオンが人体に良い作用があることは従来から知られている。その主たる効果としては、血液の浄化と血液ＰＨのアルカリ化、生体疲労物質である乳酸の中和分解、末梢循環血流量の増大と皮膚温の上昇、ＳＯＤ活性の調節、ストレス脳波からリラックス脳波（アルファ波）への移行、ミネラルバランスの調節、ビタミンの作用の活性化、細胞の活性化作用、自律神経系の調節作用、免疫機能強化、体質改善作用、循環器病改善と防止、運動系疾患改善と防止、神経系疾患改善と防止、呼吸器疾患改善と防止、老人性衰弱の改善、更年期障害の改善と防止、皮膚病改善と防止、老化防止、発癌防止作用等が知られている。また、マイナスイオンは頭髪の発毛や育毛促進あるいは白髪防止などにも効果があることが知られている。このように、マイナスイオンはあらゆる生体内の疾患を正常化する。この効果に着目した、マイナスイオンを発生する帽子が開示されている。（例えば特許文献１参照）。この帽子は、シリカでコーティングされた光触媒で表面加工された繊維からなる布地で作られたクラウン部と、マイナスイオンを発生する粉体とその発生を刺激する刺激剤の粉体とが練り込まれた繊維からなる布地で作られたプリム部とを有する。又、マイナスイオンを発生するはちまきが従来知られている（例えば特許文献２参照）。
【特許文献１】特開２００２−２８５４２３号公報
【特許文献２】登録第３０９０６２７号実用新案公報
【発明の開示】
【発明が解決しようとする課題】
【０００３】
人間の脳には中枢神経が集中しているが、その脳内細胞をマイナスイオンで、細胞の活性化と血液の浄化と血流量の増大で頭脳の若返りを促進し、中枢神経を安定させ、疲労回復と老化防止あるいは頭髪の発毛や育毛、白髪防止効果を得るためには、常時、頭にマイナスイオンを当てることが望ましい。頭に被るマイナスイオン発生用具として帽子があるが、室内で帽子を被るのには抵抗感があり室内用として適していない。また外出時、マイナスイオン発生帽子を被るとしても、一種類の帽子に飽き、帽子を替えたい場合には、個人が複数の種類のマイナスイオン発生帽子を用意しておかなければならず、費用がかさむとともに、マイナスイオン発生用の特殊な帽子の中に必ずしも自分の趣味に合った帽子があるとは限らない。
本発明は上記問題点を解決することを目的とするものである。
また本発明の他の目的は、汗対策を施したマイナスイオン発生ヘッドキャップを提供することである。
【課題を解決するための手段】
【０００４】
上記目的を達成するため本発明は、人間の頭に被せるのに適した半球カップ形状を有しマイナスイオン鉱石粒子を含む材料により形成されたヘッドキャップ本体と、該ヘッドキャップ本体の外面に取り付けられた脱着型結合具とを備え、前記ヘッドキャップ本体を市販の帽子の内側に取り付けられた脱着型結合具を介して該市販の帽子の内側に脱着自在に結合可能としたものである。
また本発明は、前記ヘッドキャップ本体に穴あるいは網状部を形成し、ヘッドキャップ本体を頭に被ったとき頭が蒸れないようにしたものである。
また本発明は、前記ヘッドキャップ本体の開放部が人間の頭の大きさに応じて圧力により拡がるように、前記ヘッドキャップ本体に弾力的に変形可能な部分を設けたものである。
また本発明は、前記脱着型結合具が平面ファスナーであることを特徴とするものである。
また本発明は、前記ヘッドキャップ本体が粒子状のマイナスイオン発生鉱石をプラスチックに混入して成形したものからなることを特徴とする。
また本はつめいは、前記ヘッドキャップ本体が粒子状のマイナスイオン発生鉱石をゴムに混入して成形したものからなることを特徴とする。
また本発明は、前記ヘッドキャップ本体を包むための袋部分を有する汗とりカバーを吸湿性、通気性を有する素材で構成し、該汗とりカバーの袋部分に前記ヘッドキャップ本体を前記脱着型結合具を開放させて挿入し、前記汗とりカバーに開閉部を設けて該開閉部から前記ヘッドキャップ本体を出し入れ可能としたものである。
また本発明は、人間の頭に被せるのに適した半球カップ形状を有しマイナスイオン鉱石粒子を含む材料により形成されたヘッドキャップ本体と、吸湿性及び通気性を有する素材で構成された前記ヘッドキャップ本体を包むための袋部分を有する汗とりカバーと、前記ヘッドキャップ本体の外面または前記汗とりカバーの外面に取り付けられた脱着型結合具とを備え、前記汗とりカバーの袋部分に前記ヘッドキャップ本体を挿入し、前記汗とりカバーに開閉部を設けて該開閉部から前記ヘッドキャップ本体を出し入れ可能とし、前記ヘッドキャップ本体を市販の帽子の内側に取り付けられた脱着型結合具を介して該市販の帽子の内側に脱着自在に結合可能としたものである。
ものである。
【発明の効果】
【０００５】
本発明は、半球状のシンプルな形状なので室内で頭に装着しても違和感がなく、しかも外出するときは、市販の帽子と結合することができ、風で頭から帽子が飛んでも、頭にヘッドキャップが残らないのでヘッドキャップを人に見られるということがない。また帽子を取って挨拶も自然にすることができる。
また請求項６の発明においては、汗とりカバーでマイナスイオン発生ヘッドキャップに汗が染み込むのを防止でき、しかも汗とりカバーをマイナスイオン発生ヘッドキャップ本体から分離して洗濯することができるので、常に清潔な状態を保持できる。
【発明を実施するための最良の形態】
【０００６】
以下に本発明の実施の形態を添付した図面を参照して詳細に説明する。
図１において、マイナスイオン発生ヘッドキャップ２の本体４は、人間の頭に合わせた半球型のカップ形状に成形加工され、頭に被ったとき、頭が蒸れないように、本体４には、空気穴（図示省略）や網状部４ａが形成されている。前記本体４は、マイナスイオンが発生する鉱石（複数の鉱石をブレンドしたもの）を細かく粉砕して、更に粒子状にしたマイナスイオン発生鉱石粒子を、原材料であるプラスチックやゴム等に均等に混ぜ、人間の頭に合わせた金型により成形加工したものである。
【０００７】
前記本体４の外側の曲面の適所には、複数の平面ファスナーからなる脱着型結合具６が接着されている。前記本体４は、被せる頭の大きさに適合して下端縁の径が拡がったり元の形状に縮むことができるように複数の切り欠き部４ｂを有する弾性変形部が形成されている。これにより、ヘッドキャップ本体４は子供から大人までの頭に適合できるように構成されている。図２において、８は市販の帽子であり、これの内側の、前記本体４の結合具６に対応する位置に、平面ファスナーからなる脱着型結合具１０が接着されている。この結合具１０の取り付け位置は、帽子８の汗とりベルトパッド９と対面する位置に設定されている。
【０００８】
１２はヘッドキャップ本体４を包むための袋状の汗とりカバーであり、吸湿性及び通気性に優れたネット状の布などの素材で構成され、全体形状がカップ状のヘッドキャップ本体４とほぼ同一形状に形成されている。前記汗とりカバー１２の表面側にはヘッドキャップ本体４を出し入れするための、ファスナーからなる開閉部１４が設けられている。前記袋状の汗とりカバー１２には、これの袋部分１２ａにヘッドキャップ本体４を包み込んだとき、ヘッドキャップ本体４側の結合部６が汗とりカバー１２によって覆われないように、結合部６を外部に露出させるための穴１６が形成されている。
【０００９】
前記ヘッドキャップ本体４の頂部の結合具６は、前記汗とりカバー１２の開閉部１４を避ける位置に取り付けられている。なお、図中、１８はアジャスタである。
上記した構成において、帽子８に、ヘッドキャップ本体４を結合するには、帽子８の汗とりベルトパッド９を外側に折り返し、この状態で、帽子８の内側に、汗とりカバー１２で包まれたヘッドキャップ本体４をぴったりと嵌合し、ヘッドキャップ本体４側の結合具を帽子８の内側の結合具１０に接着させ、しかる後に、汗とりベルトパッド９の折り返し状態を元に戻し、汗とりベルトパッド９でヘッドキャップ本体４の下部の縁を押さえる。
【００１０】
これにより、ヘッドキャップ本体４の下部の縁は帽子８の下部内周面と汗とりベルトパッド９とで挟まれた状態となり、ヘッドキャップ本体４と帽子８は一体結合状態となる。マイナスイオン発生ヘッドキャップ２の使用者は、自分の所持する市販の複数の帽子の、ヘッドキャップ本体４の脱着型結合具６に対応する部分に、予め、平面ファスナーなどの脱着型結合具１０を取り付けておく。
【００１１】
外出するときは、複数の市販の帽子の中から所望の帽子８を選んで、それにヘッドキャップ本体４を、結合具６，１０を介して結合し、汗とりカバー１２で包まれたヘッドキャップ本体４ごと帽子８を頭に被るようにする。室内では、帽子８からヘッドキャップ本体４を外し、頭に直に汗とりカバー１２で包まれた状態のヘッドキャップ本体４を被る。ヘッドキャップ本体４はカップ状のシンプルな形状であり、室内で被っていても、帽子ほど違和感がない。これにより、頭に常時、マイナスイオンを当てることができる。
【００１２】
汗とりカバー１２が汗くさくなったり汚れた場合には、ヘッドキャップ本体４を、汗とりカバー１２とともに、帽子８から取り外す。そして、汗とりカバー１２の開閉部１４を開き、汗とりカバー１２とヘッドキャップ本体４とを分離し、汗とりカバー１２を洗濯する。
本実施形態では、ヘッドキャップ本体を頭に被っていても、ヘッドキャップ本体は汗とりカバーによって包まれているためヘッドキャップ本体自体に汗が染み込むことがない。
【００１３】
また、ヘッドキャップ本体使用中、頭の汗は、汗とりカバーで吸収されるため、不快感がない。なお、本発明の実施に際しては、結合具６をヘッドキャップ本体ではなく汗とりカバー１２の表面に取り付けるようにしても良い。また図５に示すように、ヘッドキャップ本体４を、汗とりカバーを介しないで直接帽子８の内側に結合するようにしても良い。また、帽子８の内側の結合具１０の取り付け位置は特に汗とりベルトパッド９と重なる位置に限定されるものではなく、図５に示すように汗とりベルトパッド９から外れた位置でも良い。
【図面の簡単な説明】
【００１４】
【図１】本発明にかかるマイナスイオン発生ヘッドキャップの正面図である。
【図２】本発明の説明図である。
【図３】本発明の断面説明図である。
【図４】帽子の外観図である。
【図５】本発明の他の実施形態を示す説明図である。
【符号の説明】
【００１５】
２      マイナスイオン発生ヘッドキャップ  
４      ヘッドキャップ本体
４ａ    網状部
４ｂ    切り欠き      
６      結合具
８      帽子
９      汗とりべるとパッド
１０    結合具
１２    汗とりカバー
１２ａ  袋部分
１４    開閉部
１６    穴
１８    アジャスタ
【図１】
2005290646.tif 000003
【図２】
2005290646.tif 000004
【図３】
2005290646.tif 000005
【図４】
2005290646.tif 000006
【図５】
2005290646.tif 000007